(57)【要約】【課題】  コンビニエンスストアのように限られたスペースに多品種の商品を陳列した場合にも、顧客が容易に所望する商品を発見できるようにすることを目的とする。【解決手段】  この目的を達成するために、本発明の商品陳列具は、商品を吊下げて陳列するためのバーと前記バーの遊端近くに、商品情報を表示する表示具とを有する商品陳列具において、前記表示具の表示面を左又は右に向けた垂直姿勢に保持しえるようにしてあることを特徴とする構成を採用した。【選択図】  図１
2006192234.tif 000002
【特許請求の範囲】
【請求項１】
商品を吊下げて陳列するためのバーと前記バーの遊端近くに、商品情報を表示する表示具とを有する商品陳列具において、前記表示具の表示面を左又は右に向けた垂直姿勢に保持しえるようにしてあることを特徴とする商品陳列具。
【請求項２】
請求項１に記載の商品陳列具であって、前記表示具は、バーに対し、その商品出し入れ方向に平行又はこれに対し上下に鋭角で傾斜した中心線回りに回転可能に取付けられていて、その回転により、前記表示面を左右に向け、かつ商品の出し入れを阻止する表示姿勢と、上下に向けた出し入れ姿勢とに変更可能にしてあることを特徴とする商品陳列具。
【請求項３】
前記請求項２であって、前記表示具の表示姿勢と出し入れ姿勢との双方において自重では旋回しない程度の回転抵抗を与えるようにしてあることを特徴とする商品陳列具。
【請求項４】
前記請求項２又は３の何れかに記載の商品陳列具であって、前記表示具はバーの遊端に連結構造を介して取付けてあるとともに、前記表示具並びに吊下げバーとの連結構造を、表示面を上下に向けた出し入れ姿勢において、商品に形成した陳列用長孔を通過できる大きさにしてあることを特徴とする商品陳列具
【請求項５】
前記請求項１から３の何れかに記載の商品陳列具であって、前記表示具は、商品吊下げバーの上方に配置した補助バーの遊端に連結構造を介して取付けてあることを特徴とする商品陳列具。
【発明の詳細な説明】
【技術分野】
【０００１】  本発明は、商品を吊下げて陳列するためのバーと前記バーの遊端近くに、商品情報を表示する表示具とを有する商品陳列具に関する。
【背景技術】
【０００２】  この種商品陳列具は、特開平１１−２９９６０４号公報に示されているように、表示具の表示面は前面（手前）に向かうようにして取付けてあった。
これは顧客が商品の手前に立って購入するときに商品情報を提供することを想定してのものである。
しかし、コンビニエンスストアのように店舗が狭いにかかわらず多品種の商品を陳列し販売する店舗においては、顧客が所望する商品の前に到ること自体が困難になるという問題が生じていた。
【発明の開示】
【発明が解決しようとする課題】
【０００３】
【０００４】  本発明は、このような実情に鑑み、顧客が容易に所望する個々の商品を発見できるようにすることを目的とする。
【課題を解決するための手段】
【０００５】  この目的を達成するために、本発明の商品陳列具は、商品を吊下げて陳列するためのバーと前記バーの遊端近くに、商品情報を表示する表示具とを有する商品陳列具において、前記表示具の表示面を左又は右に向けた垂直姿勢に保持しえるようにしてあることを特徴とする構成を採用した。
【発明の効果】
【０００６】  このように構成することにより、表示具の表示面は、商品の左右から見ることができるようになる。この結果、狭い通路などに多品種の商品が並べられ陳列されている場合でも、その通路の入り口に至った顧客は、一望にしてその通路に陳列されている商品の情報を得ることができることととなる。
この結果、顧客は通路内に入らなくとも、その通路内に陳列されている商品を認識することができ、商品を購入する場合でも、迷うことなく商品の近くに移動することが出来るようになった。【０００７】  また、前記表示具は、バーに対し、その商品出し入れ方向に平行又はこれに対し上下に鋭角で傾斜した中心線回りに回転可能に取付けられていて、その回転により、前記表示面を左右に向け、かつ商品の出し入れを阻止する表示姿勢と、上下に向けた出し入れ姿勢とに変更可能にしてあることを特徴とする構成を採用することにより、表示具の旋回方法と商品の出し入れ方向とがまったく異なることにより、意図的に表示具を旋回させない限り商品をバーから取り出すことができなくなった。
このため、万引きなどの衝動的な窃盗を未然に防止できる効果も期待できるようになった。
また、通路の入り口から表示具の状態を一望して点検できるので、陳列状態の点検が容易になり、この点からも防犯上の効果を高めることができる。
そして、前記表示具の表示姿勢と出し入れ姿勢との双方において自重では旋回しない程度の回転抵抗を与えるようにしてあることを特徴とする構成を採用することで、表示具の姿勢変更は意図しなければ生じなくなり、防犯効果を一層高めることができた。【０００８】  さらに、前記表示具はバーの遊端に連結構造を介して取付けてあるとともに、前記表示具並びに吊下げバーとの連結構造を、表示面を上下に向けた出し入れ姿勢において商品に形成した陳列用長孔を通過できる大きさにしてあることを特徴とする構成を採用することにより、表示具を保持するためのバーを別途設けることなく、表示具を吊下げバーの遊端近くに保持できるようになった。
その結果、吊下げバーの上方を開放して、デッドスペースのない陳列を可能にすると共に、陳列上最も目立つ商品の上方に邪魔な部材が存在しないので、商品を強調した陳列を行うことができ陳列効果を高めることができた。
【発明を実施するための最良の形態】
【０００９】  以下に、本発明の最良の実施形態を例示するが、本発明はこれによって限定されるものではない。
【実施例１】
【００１０】  （１０）は商品吊下げ用のバーであって、遊端には連結構造（３０）を介して表示具（２０）が連結してある。
このバー（１０）の基端には、什器に取り付けるための金具（図外）が固定されている。
（Ｑ）は、前記バー（１０）の吊下げ部分の軸中心線で、商品（Ｇ）は、この中心線（Ｑ）に沿って出し入れすることとなる。【００１１】  前記表示具（２０）は、透明なプラスチック板をＵの字状に曲げたもので、両表示面（２０ａ）（２０ｂ）の遊端中央部に前記連結構造（３０）が設けてある。
標示具（２０）及び連結構造（３０）の大きさは、前記商品（Ｇ）に形成した陳列用の長孔（Ｇ１）を通過できる大きさにしてある。
前記連結構造（３０）は、以下の通りに構成してある。【００１２】  前記表示具（２０）にはその表示面（２０ａ）（２０ｂ）それぞれに、半円筒状のフランジ部（３０ａａ）（３０ａｂ）が互いに平坦面を対向させて固定してある。
前記バー（１０）には、その中心線（Ｑ）と同心状にして連結軸（３０ｄ）が固定してある。
この連結軸（３０ｄ）の遊端には、大径の抜け止めリング（３０ｅ）が同心状に固定してある。
前記フランジ部（３０ａａ）（３０ａｂ）の中空部（３０ｂａ）（３０ｂｂ）は前記連結軸（３０ｄ）を挿入できる大きさを有し、その奥端には、前記抜け止めリング（３０ｅ）が嵌る大径部（３０ｃａ）（３０ｃｂ）が形成してある。
前記大径部（３０ｃａ）（３０ｃｂ）は前記フランジ部（３０ａａ）（３０ａｂ）の一側に開放されている。これと同じ前記フランジ部（３０ａａ）（３０ａｂ）の側部は、前記連結軸（３０ｄ）を嵌めこむための案内面（３０ｄａ）（３０ｄｂ）に形成してある。
このようにして、側方から前記表示面（２０ａ）（２０ｂ）を上下に開きながら、連結軸（３０ｄ）を前記中空部（３０ｂａ）（３０ｂｂ）内に押し込むことができるようにしてある。
なお、前記中空部（３０ｂａ）（３０ｂｂ）の上下（図中）内径は、前記連結軸（３０ｄ）の直径より少々小さくしてあり、前記表示面（２０ａ）（２０ｂ）の弾性力により、前記連結軸（３０ｄ）を前記フランジ部（３０ａａ）（３０ａｂ）にて挟み付けて、中心軸（Ｑ）回りの旋回に自重では旋回できない程度の抵抗を与える固嵌め状態となるようにしてある。【００１３】  以上のように構成することで、表示具（２０）を中心軸（Ｑ）回りに旋回させ、その表示面（２０ａ）（２０ｂ）が左右に向く表示姿勢（図２）と、表示面（２０ａ）（２０ｂ）を水平にした出し入れ姿勢（図１）とに変更できるようにしてある。
また、この旋回にあたっては、手指にて圧力を表示具（２０）に与えなければ旋回できないようにしてある。
前記表示姿勢（図２）では、前記表示具（２０）が邪魔になって、半円孔（Ｇ２）がバー（１０）に掛けられている商品（Ｇ）を取り出すことはできない。
前記出し入れ姿勢（図１）では、商品（Ｇ）の長孔（Ｇ１）内を表示具（２０）と連結構造（３０）とを通してバー（１０）に容易に出し入れすることができるようになる。【００１４】  前記表示具（２０）は左右両面が表示面（２０ａ）（２０ｂ）になっているので、両方に対応する２枚の表示カード（Ｐ１）（Ｐ２）を保持できるようにしてある。この場合、表示具（２０）の旋回によってもこれらカード（Ｐ１）（Ｐ２）を脱落しないようにするのに板バネ（Ｓ）を使用した。
この板バネ（Ｓ）は、厚さ０．１ｍｍ以下の薄い硬質プラスチック又は青銅板をＶの字状に形成したもので、その両辺（Ｓａ）Ｓｂ）を両表示カード（Ｐ１）（Ｐ２）の背面に当たるように前記表示具（２０）内に挿入してある。
なお、この板バネ（Ｓ）の折曲縁（Ｓｃ）は、表示具（２０）のカード出し入れ口（連結具を設けた側）に近い側に配置して、カード（Ｐ１）（Ｐ２）をこの板バネ（Ｓ）と表示面（２０ａ）（２０ｂ）との間に案内するようにしてある。
【実施例２】
【００１５】  本実施例は、表示具（２０）の旋回範囲を９０度に制限した連結構造（３１）を例示する。【００１６】  前記バー（１０）に中心軸（Ｑ）と同心状に取付けてある連結軸（３１ｄ）には、その上面にピン（３１ｅ）を突出して固定してある。
前記表示具（２０）に固定したフランジ部（３１ａａ）（３１ａｂ）の中空部（３１ｂａ）（３１ｂｂ）の奥部には、前記ピン（３１ｅ）の相対回転を許す大径部（３１ｃａ）（３１ｃｂ）が９０度の範囲で形成してある。
このようにして、前記表示具（２０）を出し入れ姿勢（図６）と、これに対し９０度旋回した表示姿勢の間においてのみ旋回可能にしてある。
なお、本実施例では、前記ピン（３１ｅ）がフランジ部（３１ａａ）（３１ａｂ）間で前記大径部（３１ｃａ）（３１ｃｂ）が側方に開放されている側に対向するようにして、表示具（２０）を中心軸（Ｑ）に沿って押し込むことと、フランジ部（３１ａａ）（３１ａｂ）が弾性的に開いて、中空部（３１ｂａ）（３１ｂｂ）に連結軸（３１ｄ）を挿入することができる。
連結軸（３１ｄ）と中空部（３１ｂａ）（３１ｂｂ）とは、表示具の自重では旋回しない程度の固嵌め状にしてある。
その他の構成は前記実施例１と同様なので説明を省略する。
【実施例３】
【００１７】  本実施例は、表示具（２０）の出し入れ姿勢と表示姿勢において大きな旋回抵抗を与えるようにした連結構造（３２）を例示する。【００１８】  前記バー（１０）に中心軸（Ｑ）と同心状に取付けてある連結軸（３２ｄ）には、その上面と一側面に相互に９０度の位相差をもって小穴（３２ｅ）（３２ｆ）が形成してある。
この小穴（３２ｅ）（３２ｆ）の間は浅い溝（３２ｇ）にて連結してある。
前記表示具（２０）の固定したフランジ部（３２ａａ）（３２ａｂ）の内上側には、中空部（３２ａａ）にいたる貫通孔が設けてあり、この貫通孔に下端を半球状にした弾性ピン（３２ｃ）が保持してある。
この弾性ピン（３２ｃ）は軟質なプラスチック製で下端の半球部の一部が、中空部（３２ａａ）内に突出するようにして固定してある。【００１９】  このようにして、両小穴（３２ｅ）（３２ｆ）を含む前記溝（３２ｇ）の範囲内に前記弾性ピン（３２ｃ）が存在する間、表示具（２０）が旋回できるようにしてある。弾性ピン（３２ｃ）が両小穴（３２ｅ）（３２ｆ）から溝（３２ｇ）に移動する場合は、より多くの弾性変形がピン（３２ｃ）に要求されるのでその分大きな抵抗を生じることとなる。
なお、両小穴（３２ｅ）（３２ｆ）を含む前記溝（３２ｇ）外にピン（３２ｃ）を移動させるには、ピン（３２ｃ）を破損するほどの抵抗が生じるので、実質上不可能である。
その他の構成は前記実施例１と同様なので説明を省略する。
【実施例４】
【００２０】  前記実施例３のピン（３２ｃ）に代わる構成を例示する。【００２１】  フランジ部（３２’ａ）に下端が小径となった貫通孔（３２’ｃａ）が形成してある。
この貫通孔（３２’ｃａ）には下端から一部分を下方に突出させたボール（３２’ｃｂ）とこれを下方に押し下げるコイルバネ（３２’ｃｃ）、そして、このコイルバネ（３２’ｃｃ）を下方に押し込む小ネジ（３２’ｃｄ）が配置してある。
このよう構成して、前記コイルバネ（３２’ｃｃ）の弾性力で、前記ボール（３２’ｃｂ）を連結軸（３２ｄ）の両小穴（３２ｅ）（３２ｆ）及び前記溝（３２ｇ）に突入させるようにしてある。【００２２】  このように構成することで、部材を硬質なもので構成でき、耐久性を著しく向上することが出来た。
【実施例５】
【００２３】  本実施例は、バー（１１）の遊端側（１１ａ）を上方に傾斜させた場合の例で、前記実施例１から４のいずれも適用可能である。
この場合は、表示具が遊端側（１１ａ）の遊端に取付けらられるので、表示具（２０）はバー（１１）の中心線（Ｑ）に対し上方に鋭角で傾斜した中心線（Ｑ１）回りに旋回することとなる。
【実施例６】
【００２４】  本実施例は、バー（１１）の上方に表示具を支える補助バー（３０ｄ’）を設けた構成を例示する。この補助バー（３０ｄ’）は連結構造の連結軸を延長し、その延長先端を屈曲してバー（１１）に固定したものである。
前記表示具は表示姿勢ではその下部がバー（１１）の遊端近くに位置して商品出し入れを阻止するようにしてある。
この実施例においても前記実施例１〜４の何れもが適用可能である。
なお、本実施例では、商品（Ｇ）の長孔（Ｇ）内を表示具及び連結構造を通過させる必要がないので、これらを長孔（Ｇ１）よりも大きく構成し、表示面積を大きくすることができる。
【実施例７】
【００２５】  本実施例は別の表示具の例を示す。【００２６】  表示具（２１）の一方の表示面（２１ｂ）にのみ、連結構造（３２’’）の円筒状のフランジ部（３２’ａ）を固定したものである。このフランジ部（３２’ａ）の内径は前記連結軸（３２ｄ）の直径と同じか少々大きくしてある。当該連結構造（３２’’）のその他の構成は前記実施例４と同様である。
なお、他方の表示面（２１ａ）の遊端には、表示カード（Ｐ１）（Ｐ２）を挿入しやすいように案内面（２１ｃ）が形成してある。
その他の点は、前記実施例３又は４と同様なので説明を省略する。
なお、実施例３を適用する場合は、そのフランジ部（３２ａａ）（３２ａｂ）を上記フランジ部（３２‘ａ）と同様に円筒形にしたものに置換すれば良い。【００２６】  また、実施例１、２の連結構造を本実施例の表示具（２１）に適用する場合は、図１２に示すように以下のように構成すれば良い。
円筒形のフランジ部（３０‘ａ）において、その基端部分を除く部分を上下２分割し、半円筒状のフランジ部（３０’ａａ）（３０’ａｂ）を構成する。
このフランジ部（３０’ａａ）（３０’ａｂ）の中空部（３０’ｂａ）（３０’ｂｂ）の奥部には、連結軸（３０ｄ）の抜け止めリング（３０ｅ）を嵌め込む大径部（３０’ｃａ）（３０’ｃｂ）が形成してある。
前記大径部（３０’ｃａ）（３０’ｃｂ）は前記フランジ部（３０’ａａ）（３０’ａｂ）の一側に開放されている。これと同じ前記フランジ部（３０’ａａ）（３０’ａｂ）の側部は、前記連結軸（３０ｄ）を嵌めこむための案内面（３０’ｄａ）（３０’ｄｂ）に形成してある。
この案内面（３０’ｄａ）（３０’ｄｂ）を設けた側のフランジ部（３０’ａａ）（３０’ａｂ）の間隔を他方の間隔に比べ大きくして、フランジ部（３０’ａａ）（３０’ａｂ）の弾性変形が小さくても、連結軸（３０ｄ）を通過できるようにしてある。
このようにして、側方からフランジ部（３０’ａａ）（３０’ａｂ）を上下に開きながら、連結軸（３０ｄ）を中空部（３０’ｂａ）（３０’ｂｂ）内に押し込むことができるようにしてある。
前記中空部（３０’ｂａ）（３０’ｂｂ）の上下（図中）内径は、前記連結軸（３０ｄ）の直径より少々小さくしてあり、前記フランジ部（３０’ａａ）（３０’ａｂ）の弾性力により、前記連結軸（３０ｄ）を挟み付けて、中心軸（Ｑ）回りの旋回に自重では旋回できない程度の抵抗を与える固嵌め状態となるようにしてある。
なお、実施例２の連結構造を本実施例に適用する場合は、上記のように円筒状のフランジ部の基端を除く部分を上下２分割して上下のフランジ部を形成するようにすれば良い。
なお、本実施例は、実施例５、６における表示具としても適用可能である。
【実施例８】
【００２８】  別の表示具の例を示す。【００２９】  表示具（２２）の一方の表示面（２２ｂ）の横側に連結構造（３２’’）の円筒状のフランジ部（３２’ａ）を固定したものである。このようにした場合は、表示カード（Ｐ１）（Ｐ２）を出し入れする遊端が完全に開放されるので、カードの出し入れが行いやすくなる。（２２ａ）は他方の表示面である。
その他の点は前記実施例７と同様なので説明を省略する。
【実施例９】
【００３０】  前記実施例３又は４に適用できる別の表示具の例を示す。【００３１】  表示具（２３）の一方のＵの字屈曲縁（２３ｃ）に連結構造（３２’’）の円筒状のフランジ部（３２’）を固定したものである。このようにした場合は、表示カード（Ｐ１）（Ｐ２）を出し入れする遊端が完全に開放されるので、カードの出し入れが行いやすくなる。
（２３ａ）（２３ｂ）は表示面である。
その他の点は前記実施例７と同様なので説明を省略する。
【産業上の利用可能性】
【００３２】  本発明は、コンビニエンスストアのように限られた店舗スペースに多品種の商品を吊下げ陳列する場合に、顧客が容易に商品を探し出せるように商品情報の表示を通路の入り口側に向けて行えるようにした商品陳列具である。
【図面の簡単な説明】
【００３３】
【図１】  実施例１の出し入れ姿勢を示す、一部省略斜視図
【図２】  実施例１の表示姿勢をを示す一部省略斜視図
【図３】  実施例１の腰部を示す拡大分解斜視図
【図４】  板バネを示す斜視図
【図５】  板バネの使用状態を示す側面図
【図６】  実施例２を示す拡大分解斜視図
【図７】  実施例３を示す拡大分解斜視図
【図８】  実施例４の要部を示す縦断正面図
【図９】  実施例５を示す側面図
【図１０】  実施例６を示す側面図
【図１１】  実施例７を示す斜視図
【図１２】  実施例４の連結構造を実施例７に適用した例を示す斜視図
【図１３】  実施例１の連結構造を実施例７に適用した例を示す斜視図
【図１４】  実施例８を示す斜視図
【図１５】  実施例９を示す斜視図
【符号の説明】
【００３４】（１０）（１１）商品吊下げバー
（２０）（２１）（２２）（２３）表示具
（２０ａ）（２０ｂ）（２１ａ）（２１ｂ）（２２ａ）（２２ｂ）（２３ａ）（２３ｂ）表示面
（３０）（３０’）（３１）（３２）（３２’）（３２’’）連結構造
（３０ａａ）（３０ａｂ）（３０’ａ）（３０’ａａ）（３０’ａｂ）（３１ａａ）（３１ａｂ）（３２ａａ）（３２ａｂ）（３２’ａａ）（３２’ａ）フランジ部
（３０ｂａ）（３０ｂｂ）（３０’ｂａ）（３０’ｂｂ）（３１ｂａ）（３１ｂｂ）（３２ｂａ）（３２ｂｂ）中空部
（３０ｃａ）（３０ｃｂ）（３０’ｃａ）（３０’ｃｂ）（３１ｃａ）（３１ｃｂ）大径部
（３０ｄａ）（３０ｄｂ）（３０’ｄａ）（３０’ｄｂ）案内面
（３０ｄ）（３０’ｄ）（３１ｄ）（３２ｄ）連結軸
（３２ｃ）ピン
（３２ｅ）（３１ｆ）小穴
（３２ｇ）溝
（３２’ｃａ）貫通孔
（３２’ｃｂ）ボール
（３２’ｃｃ）コイルバネ
（３２’ｃｄ）小ネジ
【図１】
2006192234.tif 000003
【図２】
2006192234.tif 000004
【図３】
2006192234.tif 000005
【図４】
2006192234.tif 000006
【図５】
2006192234.tif 000007
【図６】
2006192234.tif 000008
【図７】
2006192234.tif 000009
【図８】
2006192234.tif 000010
【図９】
2006192234.tif 000011
【図１０】
2006192234.tif 000012
【図１１】
2006192234.tif 000013
【図１２】
2006192234.tif 000014
【図１３】
2006192234.tif 000015
【図１４】
2006192234.tif 000016
【図１５】
2006192234.tif 000017